(57)【要約】【課題】  縦枠の端部の加工が単純で、生産性を向上できるカーテンウォールの提供。【解決手段】  上下方向及び左右方向に並べて配置したパネルユニット１，１，…と、キャッチパン２とを備え、パネルユニット１は、上下枠３，４と縦枠６，７を枠組みしてあり、縦枠６，７は、上下端２６，２７をまっすぐに切断してあり、下段のパネルユニット１の上枠３に上段のパネルユニット１の下枠４が上方から係合しており、キャッチパン２は、下段のパネルユニット１，１の隣接する縦枠６，７の上端２６と、上段のパネルユニット１，１の隣接する縦枠６，７の下端２７間に挟み込んで配置してある。【選択図】      図１
2020066928.tif 000002
【特許請求の範囲】
【請求項１】
上下方向及び左右方向に並べて配置したパネルユニットと、キャッチパンとを備え、パネルユニットは、上下枠と縦枠を枠組みしてあり、縦枠は、上下端をまっすぐに切断してあり、下段のパネルユニットの上枠に上段のパネルユニットの下枠が上方から係合しており、キャッチパンは、下段のパネルユニットの隣接する縦枠の上端と、上段のパネルユニットの隣接する縦枠の下端間に挟み込んで配置してあることを特徴とするカーテンウォール。
【発明の詳細な説明】
【技術分野】
【０００１】
本発明は、複数のパネルユニットで構成されるカーテンウォールに関する。
【背景技術】
【０００２】
従来より、アルミ形材を枠組みした枠にガラスを嵌め込んだパネルユニットを、上下方向及び左右方向に並べて配置したカーテンウォールが知られている（例えば、非特許文献１参照。）。かかる従来のカーテンウォールは、縦枠の端部を特殊な形状で切り欠く必要があり、その加工に手間がかかるため、生産性向上を図ることができなかった。
【先行技術文献】
【非特許文献】
【０００３】
【非特許文献１】三協立山株式会社 三協アルミ社発行のカタログ「カーテンウォール 総合カタログ」（カタログＮｏ．ＳＴＢ０２６１Ｉ  ＹＰ．１５．０７−０３０）、２０１５年７月、ｐ．７６−７７
【発明の概要】
【発明が解決しようとする課題】
【０００４】
本発明は以上に述べた実情に鑑み、縦枠の端部の加工が単純で、生産性を向上できるカーテンウォールの提供を目的とする。
【課題を解決するための手段】
【０００５】
上記の課題を達成するために請求項１記載の発明によるカーテンウォールは、上下方向及び左右方向に並べて配置したパネルユニットと、キャッチパンとを備え、パネルユニットは、上下枠と縦枠を枠組みしてあり、縦枠は、上下端をまっすぐに切断してあり、下段のパネルユニットの上枠に上段のパネルユニットの下枠が上方から係合しており、キャッチパンは、下段のパネルユニットの隣接する縦枠の上端と、上段のパネルユニットの隣接する縦枠の下端間に挟み込んで配置してあることを特徴とする。
【発明の効果】
【０００６】
請求項１記載の発明によるカーテンウォールは、縦枠の端部の加工がまっすぐに切断するだけの単純な加工で済むので、生産性が向上する。また、キャッチパンは、下段のパネルユニットの隣接する縦枠の上端と、上段のパネルユニットの隣接する縦枠の下端間に挟み込んで配置するだけなので、施工性に優れる。
【図面の簡単な説明】
【０００７】
【図１】図３のＡ−Ａ断面図である。
【図２】図３のＢ−Ｂ断面図である。
【図３】（ａ）は本発明のカーテンウォールの一実施形態を示す室外側正面図であり、（ｂ）は同カーテンウォールの縦断面図である。
【図４】（ａ）はパネルユニットとキャッチパンの取合いを示す平面図であり、（ｂ）は同側面図である。
【図５】（ａ）はキャッチパンの平面図、（ｂ）はキャッチパンの側面図、（ｃ）はキャッチパンの室外側正面図である。
【図６】キャッチパンの斜視図である。
【図７】（ａ）は上枠と縦枠との取合いを示す平面図、（ｂ）は同正面図、（ｃ）は同側面図である。
【図８】（ａ）は無目と縦枠との取合いを示す平面図、（ｂ）は同正面図、（ｃ）は同側面図である。
【図９】（ａ）は下枠と縦枠との取合いを示す平面図、（ｂ）は同正面図、（ｃ）は同側面図である。
【図１０−１】本発明のカーテンウォールの施工手順を示す斜視図である。
【図１０−２】本発明のカーテンウォールの施工手順（図１０−１の続き）を示す斜視図である。
【発明を実施するための形態】
【０００８】
以下、本発明の実施の形態を図面に基づいて説明する。図１〜４は、本発明に係るカーテンウォールの一実施形態を示している。本カーテンウォールは、ビルの外壁を成すものであって、図３（ａ）に示すように、複数のパネルユニット１，１，…を上下方向及び左右方向に並べて配置して構成される。各パネルユニット１は、アルミ形材よりなる上枠３と下枠４と左右の縦枠６，７を矩形に枠組みし、左右の縦枠６，７間の上枠３寄りの位置にアルミ形材よりなる無目５を架設して縦長長方形の日の字形の枠を形成し、当該枠の２つの開口部にそれぞれガラス８，９を取付けて構成したものである。一つのパネルユニット１は、図３（ｂ）に示すように、建物１階分の高さを有し、スパンドレル部１０とビジョン部１１を一体に有している。すなわち、上枠３と無目５の間の部分がスパンドレル部１０となり、無目５と下枠４の間の部分がビジョン部１１となっている。各パネルユニット１は、図示しないファスナにより建物の躯体１２に取付けてある。
【０００９】
パネルユニット１の左右の縦枠６，７は、図２に示すように、室外側端部にガラス８，９を保持するガラス間口１３が形成してあり、ガラス間口１３にガラス８，９の側端部がガスケット１４とシール１５を介して保持してある。ガラス間口１３の室内側には見込壁１６を有し、見込壁１６の室内側端部に室内側見付壁１７を有している。縦枠６，７は、ガラス間口１３の底壁を形成する室外側の見込壁１８が室内側の見込壁１６よりも外周側に位置するようにクランク状に形成してあり、これにより縦枠６，７の見付寸法を小さくし、意匠性を良くしている。
隣接する縦枠６，７のうち室外側から見て左側の縦枠６は、室内側の見込壁１６の外周側面に一対の突条１９ａ，１９ｂよりなる雄部２０を有しており、室外側から見て右側の縦枠７は、室内側の見込壁１６の外周側面に一対の突条２１ａ，２１ｂよりなる雌部２２を有しており、この雄部２０を雌部２２に挿入することで左右に隣接するパネルユニット１，１の縦枠６，７を左右方向から嵌合させている。雌部２２の室外側の突条２１ａには、室内側に向けてレインバリアガスケット２３が長手方向に沿って取付けてあり、レインバリアガスケット２３は雄部２０の室外側の突条１９ａの室外側面に当接している。雌部２２の室内側の突条２１ｂには、室外側に向けてウインドバリアガスケット２４が長手方向に沿って取付けてあり、ウインドバリアガスケット２４は雄部２０の室内側の突条１９ｂの室内側面に当接している。
このように本カーテンウォールは、左右に隣接するパネルユニット１，１の縦枠６，７を雄部２０と雌部２２で嵌合すると共に、嵌合部にガスケット（レインバリアガスケット２３、ウインドバリアガスケット２４）を室外側と室内側に二重に介在させたことで、左右に隣接するパネルユニット１，１の縦枠６，７間からの雨水の浸入を防ぐことができる。さらに、左側の縦枠６のガラス間口１３の室内側端部と、右側の縦枠７の室内側壁見付壁１７とには、外周側に向けて突出する突出片２５ａ，２５ｂが設けてあり、突出片２５ａ，２５ｂにより縦枠６，７間の隙間を隠している。
左右の縦枠６，７は、図１に示すように、上端２６及び下端２７が長手方向に対して直角にまっすぐ切断してある。
【００１０】
上枠３は、図１に示すように、室外側に位置しガラス間口２８を構成するガラス間口構成部分３ａと、その室内側に位置する本体部分３ｂの２部材に分割して構成してある。
ガラス間口構成部分３ａは、ガラス間口２８の室内側に中空部２９を有し、中空部２９の上壁と下壁の内側にタッピングホール３０を有している。ガラス間口構成部分３ａは、図７に示すように、長手方向の端部３１ａが長手方向に対して直角にまっすぐ切断され、その端部３１ａを縦枠６，７の室外側の見込壁１８の内周側面に当接し、縦枠６，７外周側からタッピングホール３０に螺入するネジ（図示省略）で固定してある。
本体部分３ｂは、図１に示すように、室内外方向の中間部に一対の突条３２ａ，３２ｂと連結壁３３とからなる雄部３４を有し、雄部３４の室外側に排水用の溝部３５が上向きに開口して設けてある。また本体部分３ｂには、室内外方向に離間して複数のタッピングホール３０が設けてある。本体部分３ｂは、図７に示すように、長手方向の端部３１ｂが長手方向に対して直角にまっすぐ切断され、その端部３１ｂを縦枠６，７の室内側の見込壁１６の内周側面に当接し、縦枠６，７外周側からタッピングホール３０に螺入するネジ（図示省略）で固定してある。
上枠３は、上記のとおりガラス間口構成部分３ａ及び本体部分３ｂの長手方向端部３１ａ，３１ｂがそれぞれまっすぐに切断され、ガラス間口構成部分３ａが本体部分３ｂより長くなっている。ガラス間口構成部分３ａと本体部分３ｂとの接合面３６には、図１に示すように、シール材３７が介在しており、且つ本体部分３ｂに設けた突起３８がガラス間口構成部分３ａに設けた溝３９に係合している。
上枠３は、室外側端が縦枠６，７の室外側端と見込方向の同じ位置にあり、室内側端は縦枠６，７の室内側端よりも室外側に位置しており、見込寸法が縦枠６，７よりも５０ｍｍ程度小さくなっている。
【００１１】
無目５は、図１に示すように、室外側に位置するガラス間口構成部分５ａと、その室内側に位置する本体部分５ｂの２部材に分割して構成してある。ガラス間口構成部分５ａには、上面側と下面側にガラス間口４０ａ，４０ｂが異なる幅で形成してあり、上面側のガラス間口４０ａにはスパンドレル部１０のガラス（単板ガラス）８の下端部をガスケット４１を介して保持し、下面側のガラス間口４０ｂにはビジョン部１１のガラス（複層ガラス）９の上端部をガスケット１４とシール材１５を介して保持してある。ガラス間口構成部分５ａと本体部分５ｂには、それぞれタッピングホール３０が複数設けてある。
ガラス間口構成部分５ａは、図８に示すように、長手方向の端部４２ａが長手方向に対して直角にまっすぐ切断され、その端部４２ａを縦枠６，７の室外側の見込壁１８の内周側面に当接し、縦枠６，７外周側からタッピングホール３０に螺入するネジ（図示省略）で固定してある。本体部分５ｂも、長手方向の端部４２ｂが長手方向に対して直角にまっすぐ切断され、その端部４２ｂを縦枠６，７の室内側の見込壁１６の内周側面に当接し、縦枠６，７外周側からタッピングホール３０に螺入するネジ（図示省略）で固定してある。
無目５は、上記のとおりガラス間口構成部分５ａ及び本体部分５ｂの長手方向端部４２ａ，４２ｂがそれぞれまっすぐに切断され、ガラス間口構成部分５ａが本体部分５ｂより長くなっている。ガラス間口構成部分５ａと本体部分５ｂとの接合面４３には、図１に示すように、シール材４４が介在しており、且つ本体部分５ｂに設けた係合部４５にガラス間口構成部分５ａの室内側壁の下部が係合している。
【００１２】
下枠４は、図１に示すように、室外側部にガラス間口４６が一体に形成してあり（ただし、ガラス間口４６の室外側壁は、着脱自在な押縁４７になっている）、ガラス間口４６にビジョン部１１のガラス９の下端部をガスケット１４とシール材１５を介して保持してある。下枠４は、ガラス間口４６の室内側の上部及び下部と、室内外方向中間部と、室内側端部とにタッピングホール３０が形成してある。下枠４は、図９に示すように、長手方向の端部４８が長手方向に対して直角にまっすぐ切断され、その端部４８を縦枠６，７の室内側の見込壁１６の内周側面に当接し、縦枠６，７外周側からタッピングホール３０に螺入するネジ（図示省略）で固定してある。下枠４は、室外側端が縦枠６，７の室外側端と見込方向の同じ位置にあり、室内側端は縦枠６，７の室内側端よりも室外側に位置しており、見込寸法が縦枠６，７よりも５０ｍｍ程度小さくなっている。
下枠４の室内側部には、図１に示すように、一対の垂下壁４９ａ，４９ｂよりなる雌部５０が形成してあり、雌部５０は下段のパネルユニット１の上枠３の雄部３４に上方から係合し、これにより下段のパネルユニット１の上枠３と上段のパネルユニット１の下枠４を連結している。下枠４の雌部５０の室外側の垂下壁４９ａには、室内側に向けてレインバリアガスケット５１が長手方向に沿って取付けてあり、レインバリアガスケット５１は上枠３の雄部３４の室外側の突条３２ａの室外側面に当接している。下枠４の雌部５０の室内側の垂下壁４９ｂには、室外側に向けてウインドバリアガスケット５２が長手方向に沿って取付けてあり、ウインドバリアガスケット５２は上枠３の雄部３４の室内側の突条３２ｂの室内側面に当接している。
このように本カーテンウォールは、上下に隣接するパネルユニット１，１の上枠３と下枠４を雄部３４と雌部５０で嵌合すると共に、嵌合部にガスケット（レインバリアガスケット５１、ウインドバリアガスケット５２）を室外側と室内側に二重に介在させたことで、上下に隣接するパネルユニット１，１の下枠４と上枠３の間からの雨水の浸入を防ぐことができる。また、下枠４と上枠３の間から浸入しようとする雨水は、下枠４の雌部５０の室外側の垂下壁４９ａで堰き止められ、その下方に位置する上枠３の溝部３５に落ち、溝部３５に入った雨水は縦枠６，７に形成した排水孔５３から縦枠６，７間に排水される。
【００１３】
上段の左右のパネルユニット１，１の隣接する縦枠６，７の下端２７と、下段の左右のパネルユニット１，１の隣接する縦枠６，７の上端２６との間には、図４に示すように、一つのキャッチパン２が設けてある。キャッチパン２は、発泡シリコーン等で一体成形されたブロック状のもので、図５，６に示すように、平らな上面５４と下面５５を有し、下面５５には略矩形断面の柱状の突部５６を有している。突部５６の上方の上面５４には凹部５７が形成してあり、凹部５７の底面は室外側に向かって下向きに傾斜している。凹部５７の室外側には溝部５８が形成してあり、溝部５８の底面は凹部５７の底面と連続し、室外側に向かって下向きに傾斜している。溝部５８の室外側端部には、垂下壁５９が設けてある。
【００１４】
本キャッチパン２は、図４に示すように、下段の左右に隣接するパネルユニット１，１の縦枠６，７の雄部２０と雌部２２とによる嵌合部の内側に突部５６を上方から嵌合して配置され、キャッチパン２の上面５４に上段の左右に隣接するパネルユニット１，１の縦枠６，７の下端２７が圧接し、キャッチパン２の下面５５に下段の左右に隣接するパネルユニット１，１の縦枠６，７の上端２６が圧接しており、これによりキャッチパン２は上下方向に６ｍｍ程度押し潰され、上段のパネルユニット１，１の縦枠６，７の下端２７と下段のパネルユニット１，１の縦枠６，７の上端２６間の隙間を塞いでいる。また、上段の左右のパネルユニット１，１の縦枠６，７間に設けたウインドバリアガスケット２４の下端がキャッチパン２の上面５４に当接し、レインバリアガスケット２３の下端がキャッチパン２上面の溝部５８に対向している。また、下段の左右のパネルユニット１，１の縦枠６，７間に設けたレインバリアガスケット２３及びウインドバリアガスケット２４の上端がキャッチパン２の下面５５に当接している。また、キャッチパン２の垂下壁５９が下段の左右のパネルユニット１，１の縦枠６，７間の隙間に垂下している。
キャッチパン２の左右の側面６０，６０には、上段のパネルユニット１，１の下枠４の雌部５０の左右端面と下段のパネルユニット１，１の上枠３の雄部３４の左右端面が当接している。さらに、上段のパネルユニット１，１の下枠４の雌部５０に設けたレインバリアガスケット５１とウインドバリアガスケット５２の左右端が、キャッチパン２の側面６０に当接している。すなわち、下段のパネルユニット１，１の上枠３と上段のパネルユニット１，１の下枠４の雄部３４と雌部５０とによる嵌合部６２がキャッチパン２の高さ寸法の略範囲内にあり、気密材（レインバリアガスケット５１及びウインドバリアガスケット５２）の取付けてある部分がキャッチパン２の高さ寸法の範囲内にある。
【００１５】
このようにキャッチパン２を設けたことで、上下左右のパネルユニット１，１，１，１のつなぎ目部分からの雨水の浸入を確実に防ぐことができる。また、左右に隣接するパネルユニット１，１の縦枠６，７同士の嵌合部に雨水が浸入したとしても、図４中に矢印６１で示すように、キャッチパン２の上面の凹部５７及び溝部５８の傾斜した底面と垂下壁５９を通じて室外に排水できる。上段のパネルユニット１，１の縦枠６，７間に設けたウインドバリアガスケット２４の下端がキャッチパン２の上面５４に当接していることで、気密ラインが連続するので、気密性能を容易に確保できる。
【００１６】
次に、本カーテンウォールの施工手順を説明する。まず、各パネルユニット１を予め組み立てる。次に、組み立てたパネルユニット１を建物の内部に搬入する。次に、建物の内部側からフォークリフト等を使用してパネルユニット１を一枚ずつ持ち上げて所定の位置に配置し、躯体１２にファスナで順次取付ける。パネルユニット１の取付けは、下段の左右方向の一方側から行い、取付けるパネルユニット１を所定の高さに保持した後、先に取付けたパネルユニット１側に横にスライドして、図１０−１（ａ）に示すように、縦枠６，７の雄部２０と雌部２２を嵌合させる。その後、図１０−１（ｂ）に示すように、縦枠６，７の雄部２０と雌部２２との嵌合部に突部５６を嵌合させてキャッチパン２を上方から取付ける。その後、図１０−２（ｃ）に示すように、上段の片方のパネルユニット１を、下枠４の雌部５０を下段のパネルユニット１の上枠３の雄部３４に上方から嵌合させて取付ける。その後、図１０−２（ｄ）に示すように、上段のもう片方のパネルユニット１を、先に取付けたパネルユニット１と縦枠６，７同士を雄部２０と雌部２２で嵌合させながら、下枠４の雌部５０を下段のパネルユニット１の上枠３の雄部３４に上方から嵌合させて取付ける。上段のパネルユニット１，１を取付けると、キャッチパン２が上下のパネルユニット１，１，１，１の縦枠６，７間に上下から挟み込まれ、上下方向に押し潰され、上下のパネルユニット１，１，１，１の縦枠６，７間の隙間を塞ぐ。
【００１７】
以上に述べたように本カーテンウォールは、縦枠６，７の端部の加工がまっすぐに切断するだけの単純な加工で済むので、生産性が向上する。また、キャッチパン２は、下段のパネルユニット１，１の隣接する縦枠６，７の上端２６と、上段のパネルユニット１，１の隣接する縦枠６，７の下端２７間に挟み込んで配置するだけなので、施工性に優れる。
また、本カーテンウォールは、上段のパネルユニット１，１の縦枠６，７間に設けた気密材（ウインドバリアガスケット）２４の下端がキャッチパン２の上面５４に当接していることで、気密ラインが連続するので、気密性能を容易に確保できる。
パネルユニット１は、上下枠３，４の端部を縦枠６，７の内周側面に当接し、上下枠３，４のタッピングホール３０に螺入するねじで固定してあり、下段のパネルユニット１の上枠３と上段のパネルユニット１の下枠４との嵌合部６２がキャッチパン２の高さ寸法の略範囲内にあり、気密材（レインバリアガスケット５１及びウインドバリアガスケット５２）の取付けてある部分がキャッチパン２の高さ寸法の範囲内にあることで、風圧等によりカーテンウォールに圧力が生じても、縦枠６，７の変形を抑えることができると共に、キャッチパン２を介して気密ラインが連続するので、気密性能を容易に確保できる。
さらに本カーテンウォールは、下段のパネルユニット１の上枠３と上段のパネルユニット１の下枠４との嵌合部６２より室外側の上枠３上面に排水用の溝部３５が設けてあり、溝部３５の水が縦枠６，７間に排水されるため、上枠３上面に浸入した水を溝部３５から縦枠６，７間に排水することができる。
【００１８】
また、本カーテンウォールは、横枠（上枠３及び無目５）がガラス間口を構成する部分３ａ，５ａとそれ以外の本体部分３ｂ，５ｂとに分割してあり、両部分の長手方向の端部３１ａ，３１ｂ，４２ａ，４２ｂをそれぞれまっすぐに切断するだけで容易に縦枠６，７と枠組みできるので、生産性が向上する。また、分割した横枠の本体部分３ｂ，５ｂは、見込寸法を自由に設定でき、例えば、見込寸法を抑えることで、カーテンウォール全体の軽量化を図り、原材料コスト低減や施工性の向上に寄与する。本実施形態のカーテンウォールは、上枠３及び下枠４の見込寸法を縦枠６，７の見込寸法より約５０ｍｍ小さくしたことで、従来のユニット式カーテンウォールと比べて大幅に軽量化できる。
本カーテンウォールは、横枠のガラス間口を構成する部分３ａ，５ａが横枠の本体部分３ｂ，５ｂに係合しているので、横枠のガラス間口を構成する部分３ａ，５ａと本体部分３ｂ，５ｂとが外れるのを防止することができる。
縦枠６，７は、ガラス間口１３を構成する見込面（見込壁１８）がそれ以外の部分よりも外周側に位置するようにクランク状に形成してあり、横枠３，５は、ガラス間口を構成する部分３ａ，５ａが本体部分３ｂ，５ｂよりも長いことで、縦枠６，７の見付寸法を小さくでき、意匠性に優れる。また、横枠３，５のガラス間口を構成する部分３ａ，５ａを本体部分３ｂ，５ｂより長くするだけで、容易に縦枠６，７と枠組みすることができる。
【００１９】
本発明は以上に述べた実施形態に限定されない。枠の構成、枠に嵌め込むガラスの種類等は問わない。縦枠及び横枠の断面形状は、適宜変更することができる。下段のパネルユニットの上枠と上段のパネルユニットの下枠との嵌合部に設ける気密材は、上下いずれのパネルユニットの枠材に設けてもよい。キャッチパンの形状、材質は、適宜変更することができる。
【符号の説明】
【００２０】
１  パネルユニット
２  キャッチパン
３  上枠（横枠）
３ａ  ガラス間口構成部分（ガラス間口を構成する部分）
３ｂ  本体部分
４  下枠（横枠）
５  無目
５ａ  ガラス間口構成部分（ガラス間口を構成する部分）
５ｂ  本体部分
６，７  縦枠
【図１】
2020066928.tif 000003
【図２】
2020066928.tif 000004
【図３】
2020066928.tif 000005
【図４】
2020066928.tif 000006
【図５】
2020066928.tif 000007
【図６】
2020066928.tif 000008
【図７】
2020066928.tif 000009
【図８】
2020066928.tif 000010
【図９】
2020066928.tif 000011
【図１０−１】
2020066928.tif 000012
【図１０−２】
2020066928.tif 000013